(57)【特許請求の範囲】
【請求項１】
チップカード用接触装置であって、
装置に含まれる印刷回路板のような回路担体の印刷導体をチップカードの接触子に接触
するための接触素子（１６）を収容する接触子担体（１１）、
接触子担体（１１）に揺動可能に支持されかつＳＩＭカードの収容部を含む導電性蓋（
１３）、及び
蓋（１３）と回路担体の接地接触子又はシャシ接触子（２１）との間の導電接続による
遮蔽のための装置
を有するものにおいて、
蓋（１３）が、接触子担体（１１）に沿って延びる接触子部分（１８）を持ち、蓋（１
３）の閉鎖された状態でこの接触子部分（１８）が、回路担体の接地接触子又はシャシ接
触子（２１）に直接接触する
ことを特徴とする、チップカード用接触装置。
【請求項２】
接触子部分（１８）が、蓋と同じ材料から構成されていることを特徴とする、請求項１
に記載の接触装置。
【請求項３】
接触子部分（１８）が、弾性舌片（１９）として構成されていることを特徴とする、請
求項２に記載の接触装置。
【請求項４】
接触子部分（１８）と蓋（１３）が単一の材料で一体に刑成されていることを特徴とす
る、請求項２又は３に記載の接触装置。
【請求項５】
接触子部分（１８）が、蓋（１３）の縁範囲（１３ａ）から作り出されていることを特
徴とする、請求項３又は４に記載の接触装置。
【請求項６】
接触子部分（１８）が、印刷回路板に面しかつ接触子担体（１１）の横にある蓋（１３
）の縁（１３ｂ）の下に設けられていることを特徴とする、請求項２〜４の１つの記載の
接触装置。
【請求項７】
装置に含まれる印刷回路板のような回路担体の印刷導体をチップカードの接触子に接触
するための接触素子（１６）を収容する接触子担体（１１）、
接触子担体（１１）に揺動可能に支持されかつＳＩＭカードの収容部を含む導電性蓋（
１３）、及び
蓋（１３）と回路担体の接地接触子又はシャシ接触子（２１）との間の導電接続による
遮蔽のための装置
を有し、
蓋（１３）を接触子担体（１１）に揺動可能に支持するため、少なくとも１つの揺動軸
受（２９）が設けられ、
揺動軸受（２９）が導電的に構成され、少なくとも１つの接触子担体側軸受素子（３０
）が、回路担体の接地接触子又はシャシ接触子（２１）に電気的に接続されているものに
おいて、
蓋（１３）の曲げ返された後縁（３１）が軸受スリーブを形成し、
接触子担体側軸受索子としての軸受ピン（３０）が、この軸受スリーブ（３１）へ滑るよ
うにはまっている
ことを特徴とする、接触装置。
【発明の詳細な説明】
【技術分野】
【０００１】  本発明は、請求項１の上位概念に記載のチップカード用特にＳＩＭカード用接触装置に関する。
【背景技術】
【０００２】  このような接触装置は、日常言語及び特許文献においてもしばしば″チップカード読取り器″、″ＳＩＭカード読取り器″等と称され、チップカード又はＳＩＭ（加入者識別モジュール）カードの接触子と、電子装置例えば携帯電話に収容されている印刷回路板のような回路担体の印刷導体との電気接触を、維持及び準備するために用いられる。【０００３】  この種の接触装置は、本発明の出発点としての例えばドイツ連邦共和国特許出願公開第１９５２１７２１号明細書から公知である。接触子担体には、６つの通常の読取り接触子のほかに、少なくとも２つの付加的な開閉接触子が収容されて、金属又は金属被覆プラスチックから成る接触装置の蓋を閉じる際、印刷回路板への接地又はシャシ接続を行い、それにより接地又はシャシ接続要求に従う遮蔽を可能にするのに役立つ。更に蓋には押圧ばねが形成されて、開かれた蓋へＳＩＭカードを押込む際接触子担体の方へ押付けられ、縦方向移動により鎖錠位置へもたられる蓋の閉鎖後開閉接触子に接触し、それからこれらの開閉接触子が順次印刷回路板のシャシの接続を行う。
【発明の開示】
【発明が解決しようとする課題】
【０００４】  本発明の課題は、構造を簡単化される遮蔽された接触装置を提供することである。
【課題を解決するための第１の手段】
【０００５】    この課題の本発明による第１の解決策は、第１の独立請求項１の特徴にある。それによれば、例えばチップカード読取り装置、携帯電話等のような電子装置のチップカード特にＳＩＭ力ード用の接触装置は、装置に含まれる印刷回路板のような回路担体の印刷導体をチップカードの接触子に接触するための接触素子を収容する接触子担体、接触子担体に揺動可能に支持されかつＳＩＭカードの収容部を含む導電性蓋、及び蓋と回路担体の接地又はシャシ接触子との間の導電接続による遮蔽のための装置を持ち、蓋が、接触子担体に沿って延びる接触子部分を持ち、蓋の閉鎖された状態で接触子部分が、回路担体の接地接触子又はシャシ接触子に直接接触することを特徴としている。
【０００６】  目的にかなった特に有利な発展は、接触子部分が、蓋と同じ材料から構成される点にあり、接触子部分が、弾性舌片として構成され、接触子部分と蓋が単一の材料で一体に形成されるように構成され、なるべく蓋の縁範囲から作り出されている。好ましい別の構成は、接触子部分が、印刷回路板に面しかつ接触子担体の横にある蓋の縁の下に設けられている点にある。
【０００７】  本発明の重要な利点は、まず接触装置が、構造に関してもまた確実な機能に関しても簡単なことである。蓋の製造は、従来に比較して費用がかからない。接触子部分は、いずれにせよ必要な打抜き、切断及び曲げの工程で、又は射出成形又はめっきで容易に一緒に製造することができる。蓋への接触子部分の鋲止め、溶接等も費用がかからない。
【０００８】  従来技術とは異なり、シャシ接続は順次に（蓋−開閉接触子；開閉接触子−板）に行われず、蓋と電子回路のシャシ電位との直接接触により直接行われる。これを行うため、シャシ電位に接触する個所を装置ハウジング内で自由にしておき、それによりこの個所が蓋側接触子部分に接触できるようにすればよい。ドイツ連邦共和国特許出願公開第１９５２１７２１号明細書による付加的開閉接触子のような特別の接触子は必要でない。
【０００９】  関連する従来技術に対する別の著しい利点は、装置へ挿入されないチップカードにおいても、遮蔽が有効なことである。即ち導電性蓋の接触が、例えばＳＩＭカードを使用するため蓋を開くために、電子装置の損傷をひき起こさないことである。なぜならば、この場合にも、静電電荷がシャシ電位へ放流されるからである。
【課題を解決するための第２の手段】
【００１０】  例えばチップカード読取り装置、携帯電話等のような電子装置のチップカード特にＳＩＭカード用の接触装置は、装置に含まれる印刷回路板のような回路担体の印刷導体をチップカードの接触子に接触するための接触素子を収容する接触子担体、接触子担体に揺動可能に支持されかつＳＩＭカードの収容部を含む導電性蓋、及び蓋と回路担体の接地又はシャシ接触子との間の導電接続による遮蔽のための装置を持ち、蓋及び接触子担体に、蓋をその閉鎖位置に保持するための釈放可能な鎖錠手段が付加的に設けられ、接触子担体側の少なくとも１つの導電性鎖錠手段が設けられて、回路担体の接地又はシャシ接触面に接続され、蓋が、その閉鎖位置で鎖錠手段と釈放可能な鎖錠結合を行うことを特徴としている。
【００１１】  これに関連して接触子担体側鎖錠手段が掛け金板を含み、接触の隙蓋がこの掛け金板と共に一種のスナップ結合を行う展開が、目的にかないかつ有利である。掛け金板に、蓋を係止する掛け金舌片が形成されているようにすることができる。
【００１２】接触子担体に収容される鎖錠手段が、なるべく読取り接触子の接触面内に設けられるＳＭＤろう付け脚片のような少なくとも１つの接触面を持っており、鎖錠手段の少なくとも１つの部分が、（読取り接触子と同じように）接触子担体の絶縁体に一緒に射出成形されている。
【００１３】  この解決策も、第１の解決策の上述した利点を持っている。更に本発明の重要な思想は、接触装置の遮蔽及び接触子担体への蓋の鎖錠を手際よくまとめることである。更に遮蔽と蓋鎖錠との間の確実な強制作用が生じる。
【課題を解決するための第３の手段】
【００１４】  課題の更に別の解決策は、本発明によれば、第３の独立請求項１２の特徴にある。それによれば、例えばチップカード読取り装置、携帯電話等のような電子装置のチップカード特にＳＩＭカード用の接触装置は、装置に含まれる印刷回路板のような回路担体の印刷導体をチップカードの接触子に接触するための接触素子を収容する接触子担体、接触子担体に揺動可能に支持されかつＳＩＭカードの収容部を含む導電性蓋、及び蓋と回路担体の接地又はシャシ接触子との間の導電接続による遮蔽のための装置を持ち、蓋を接触子担体に揺動可能に支持するため、少なくとも１つの揺動軸受が設けられており、揺動軸受の軸受素子が導電的に構成されるか又は処理され、少なくとも１つの接触子担体側軸受素子が、回路担体の接地又はシャシ接触子に電気的に接続されている。
【００１５】  この解決策は、蓋が開かれている時にも、接触装置が常に遮蔽されている、という付加的な利点を持っている。この接触装置の構造費は少ない。導電性軸受素子及び電気的接続を行いさえすればよい。
【００１６】  添付図面に示されている実施例を参照して、本発明を以下に説明する。
【発明を実施するための最良の形態】
【００１７】  図１は、例えば携帯電話において使用されているように、チップカード特にＳＩＭカード用の全体に符号１０を付けた接触装置を示している。【００１８】  接触装置１０は、接触子担体１１と、軸線１２の周りに揺動可能にこの接触子担体に枢着される蓋１３とを含み、図示した実施例では、揺動軸線１２は接触子担体１１及び蓋１３の短辺に設けられている。【００１９】  非導電性の絶縁材料特にプラスチックから成る本体１４を持つ接触子担体１１には、実施例では、公知のように接触子担体１１と蓋１３との間で装置１０へ挿入される図示しないＳＩＭカードの接触子と接触するために、６つの読取り接触子１５が設けられている。符号１６を付けられたＳＭＤろう付け脚片は、読取り接触子１５の物質的なつながる構成部分であり、同様に図示しない回路担体特に印刷回路板への電気接続に役立つ。【００２０】  接触子担体１１に、設けられる符号化斜面１７は、公知のように適当に破断された隅を持つＳＭＤカードが、その正しい方向においてのみ接触装置１０へ挿入可能であるようにしている。【００２１】  図示した実施例では、蓋１３は板打抜き曲げ部品即ち導電性材料から成っている。蓋は、他の導電性材料例えば導電性プラスチック又は導電被覆を持つプラスチックから成ることもできる。【００２２】  上述したように、蓋１３は、図１に関して後方の短辺で、揺動軸線１２を介して接触子担体１１に揺動可能に結合されている。従って蓋１３は、図１に対してもっと開かれた位置から、図２に示す閉鎖位置まで揺動されることができる。【００２３】  蓋１３の重要な特徴は、本発明によれば、まず、それが接触子部分１８を持っていることである。この舌片状接触子部分１８は、実施例では、蓋１３の単一の材料でつながる構成部分であり、即ち特に打抜き及び曲げにより蓋１３自体から作り出されている。図からわかるように、蓋１３の主要面から下方へ曲げられる蓋の縦縁１３ａに付属している。最後に、接触子担体１１の方へ向く蓋縁１３ａの縁稜１３ｂ内に設けられるように、接触子部分１８が配置され、蓋縁１３ａに対して、舌片１９の自由端が接触子担体１１へ向く方向へ突出している。【００２４】  図２は、装置切欠き３５へ挿入されている接触装置１０を示し、蓋１３は閉鎖されて示されている。蓋１３の閉鎖位置で、蓋縁１３ａは接触子担体１１の側方を少なくとも一部覆っているので、接触子部分１８はいわば先行するように配置されている。このことは、蓋の閉鎖位置において、接触子部分１８が接触を決定するその端部２０で接触子２１に接触し、ばね力を受けて、図示しない電子回路の部分である接触子２１上に支持されることを意味する。接触子２１は、例えば電子回路の接地又はシャシ電位の印刷導体部分である。【００２５】  最後に図から更にわかるように、蓋１３にある接触子部分１８は、接触子担体１１に対して、接触子担体１１が縁切欠き２２を持つ個所にある。従って接触子部分１８は、大体においてまだ接触子担体１１の輪郭内に設けられることができ、従って余分な面積を必要としない。【００２６】  接触子担体１１に対して蓋１３をその閉鎖位置に鎖錠するために、更に全体を２３で示す鎖錠装置２３が設けられている。この鎖錠装���２３は、一方では接触子担体１１の揺動軸線１２とは反対側の短辺に掛け金板２４を持ち、蓋１３の前縁２５の部分とクリップ結合のように再釈放可能に共同作用する。図示した実施例では、蓋１３の前縁２５の運動軌道へ入り込む楔状掛け金舌片２６により、鎖錠が行われる。蓋１３が閉鎖されると、その前縁２５が、ばね弾性的に構成されるか又は設けられる掛け金板２４を一時的にそらせるように動かし、蓋が閉鎖されると、図２に示すように、掛け金舌片２６が蓋１３の前縁２５に係合する。【００２７】  蓋１３の閉鎖により、接触力が接触子１５へ加えられ、蓋閉鎖位置において確保される。その結果装置１０の閉鎖位置において、接触力が蓋１３の確実な鎖錠を援助する。【００２８】  蓋１３の前縁２５の所に設けられる掛け金板２４に関して、この鎖掛け金板２４は、図２において掛け金板の方へ向く矢印の方向における蓋１３の望ましくない移動を防止する。そうしないと、存在する公差のため、このような移動が起こり得る。【００２９】  蓋１３を開く場合、掛け金板２４が少し外方へ押され、それにより掛け金舌片２６が蓋の前縁２５を再び釈放する。【００３０】  掛け金板２４は、接触子担体１１の絶縁体の一体の材料でつながる構成部分であってもよい。図示した実施例では、一方では安定性及び弾性の理由から、他方では更に後述する理由からむしろ掛け金板２４を金属部材に形成することが考えられる。【００３１】  図４及び５は、導電性材料特に金属から成る掛け金板２４を示している。掛け金板２４の固定部分２７は、接触子担体１１の絶縁体１４へ埋込まれている。固定部分２７の端部はＳＭＤろう付け脚片２８として構成され、それにより掛け金板２４及び接触装置の絶縁体１４も、回路担体従って印刷回路板上に取付けられるか、又は付加的に保持されることができる。【００３２】  本発明の基礎になっている考えによれば、掛け金板２４が、既に述べた接触子部分１８の代わりに又はこれに加えて、接触装置１８の遮蔽のために設けられ、かつ構成されている。従って今までの説明とは異なり、この場合ＳＭＤろう付け脚片２８が印刷回路板上における機械的保持に関係する接触面との電気的接続に役立つことを看取すべきである。この場合ＳＭＤろう付け脚片２８及び掛け金板２４を持つ部材は、当然導電性材料なるべく金属板から成っている。【００３３】  このような接触装置１０において、蓋１３が閉鎖され、それから掛け金板２４に鎖錠するように接触すると、この個所で蓋１３と装置の電子回路のシャシ電位との電気的接続が行われる。【００３４】  揺動軸線１２の範囲における第３の遮蔽原理は、図面を参照して次のように説明される。【００３５】  図２から最もよくわかるように、揺動軸線１２の範囲に揺動軸受としてのピン継手装置２９が設けられて、接触子担体１１に対する蓋１３の揺動可能な軸受支持に役立つ。３０で接触子担体側の軸受素子としての軸受ピンが示され、これに反し蓋１３の曲げ返された後縁３１が軸受スリーブを形成し、この軸受スリーブへ軸受けピン３０が滑るようにはまっている。軸受ピン３０は、軸受ピン３０と同様に導電性材料から成る軸受台３２から突出している。軸受台３２の下面３３は、回路担体の接地又はシャシ電���にある印刷導体上へ直接ろう付けすることができる。なお軸受台３２は、接触子担体１１の絶縁体１４に固定され、特にこの中へ部分的に埋込まれることができる。【００３６】  この場合ピン継手装置２９を介して、蓋１３と電子回路の接地電位又はシャシとの直接電気接続が行われるので、蓋１３のいかなる位置でも、ＳＩＭカードが接触装置１０へ挿入されているか否かに関係なく、遮蔽が行われる。【００３７】  接触装置１０へのＳＩＭカードの収容に関しては、図示されていない。通常のように、蓋１３の下側に、一般に縁の変形により、案内部を形成することが考えられるので、蓋１３が閉鎖される前に、ＳＩＭカードを蓋へ押込むことができる。
【図面の簡単な説明】
【００３８】
【図１】  接触子担体及び一部開かれた蓋を持つ本発明による接触装置の斜視図である。
【図２】  装置又は装置切欠きへ挿入された接触装置の斜視図である。
【図３】  図２の細部の拡大図である。
【図４】  接触子担体のろう付け側を見た接触装置の斜視図である。
【図５】  図４の細部の拡大図である。
【符号の説明】
【００３９】１０  接触装置
１１  接触子担体
１３  蓋
１５  接触素子（読取り接触子）
２１  接地又はシャシ接触子
２４  鎖錠手段（掛け金板）
２９  揺動軸受（ピン継手装置）
３０  軸受素子（軸受ピン）
【図１】
0003726215.tif 000002
【図２】
0003726215.tif 000003
【図３】
0003726215.tif 000004
【図４】
0003726215.tif 000005
【図５】
0003726215.tif 000006